(57)【要約】【課題】装置の小型化やコストダウンを図ることができる貨幣処理装置を提供すること。【解決手段】貨幣処理装置１は、入金口２０から入金される紙幣Ｓを搬送するための入金系搬送路２５と、入金系搬送路２５において搬送される紙幣Ｓの金種および正損を少なくとも識別する入金識別部２７と、金種毎に設けられ、入金系搬送路２５によって搬送された紙幣Ｓを収納するための入金用収納庫１２と、制御部４５と、を含む。制御部４５は、入金識別部２７によって正券と識別された紙幣Ｓをその金種と同一金種の入金用収納庫１２に収納させ、入金識別部２７によって損券と識別された紙幣Ｓをその金種とは異なる金種の入金用収納庫１２に収納させる。【選択図】図３
2013222323.tif 000002
【特許請求の範囲】
【請求項１】
入金口に接続され、前記入金口から入金される貨幣を搬送するための入金系搬送路と、
前記入金系搬送路に設けられ、前記入金系搬送路において搬送される貨幣の金種および正損を少なくとも識別する入金識別部と、
金種毎に設けられ、前記入金系搬送路によって搬送された貨幣を収納するための入金用収納庫と、
前記入金識別部によって正券と識別された貨幣をその金種と同一金種の前記入金用収納庫に収納させ、前記入金識別部によって損券と識別された貨幣をその金種とは異なる金種の前記入金用収納庫に収納させる入金制御手段と、
を含むことを特徴とする、貨幣処理装置。
【請求項２】
前記入金用収納庫と出金口とをむすび、前記入金用収納庫の貨幣を前記出金口へ搬送するための出金系搬送路と、
前記出金系搬送路に設けられ、前記出金系搬送路において搬送される貨幣の金種を識別する出金識別部と、
前記出金識別部によって異金種と識別された貨幣を収納するための出金用収納庫と、
をさらに含むことを特徴とする、請求項１記載の貨幣処理装置。
【請求項３】
前記入金識別部によって損券と識別された貨幣を収納するための前記入金用収納庫は、取扱量が相対的に少ない金種の入金用収納庫を含む、請求項１または２記載の貨幣処理装置。
【発明の詳細な説明】
【技術分野】
【０００１】
この発明は、貨幣の入出金を行うことができる貨幣処理装置に関する。
【背景技術】
【０００２】
従来より、銀行等の金融機関で使用され、貨幣の入出金を行うことができる貨幣処理装置が知られている（たとえば、特許文献１参照）。
特許文献１では、紙幣入出金装置が提案されている。この紙幣入出金装置では、装置本体に、入金口と、識別部と、複数の収納部と、出金口とが設けられている。複数の収納部は、金種毎の紙幣を収納するための金種別収納部と、金種混合収納部と、出金処理過程におけるリジェクト紙幣を収納するリジェクト紙幣収納部とを含む。入金口から入金された紙幣は、識別部による識別を受け、正券（傷みや汚れがない紙幣）と識別された場合には、該当する金種別収納部に収納され、損券（傷みや汚れがある紙幣）と識別された場合には、金種混合収納部に収納される。また、金種混合収納部には、各金種の損券だけでなく、金種別収納部に収納しきれなかった各金種の正券（オーバーフロー券）も収納される。
【先行技術文献】
【特許文献】
【０００３】
【特許文献１】特開２０００−２１５３４４号公報
【発明の概要】
【発明が解決しようとする課題】
【０００４】
特許文献１の紙幣入出金装置では、金種混合収納部を設けることによって、装置の大型化やコスト上昇が不可避である。また、金種混合収納部には、各金種の損券および正券（オーバーフロー券）が混在しているので、金種混合収納部から所定金種の正券を出金する場合には、金種混合収納部から繰り出す紙幣について、金種だけでなく正損も識別しなければならず、その点でも、コスト上昇が懸念される。
【０００５】
この発明は、かかる背景のもとでなされたもので、装置の小型化やコストダウンを図ることができる貨幣処理装置を提供することを目的とする。
【課題を解決するための手段】
【０００６】
請求項１記載の発明は、入金口に接続され、前記入金口から入金される貨幣を搬送するための入金系搬送路と、前記入金系搬送路に設けられ、前記入金系搬送路において搬送される貨幣の金種および正損を少なくとも識別する入金識別部と、金種毎に設けられ、前記入金系搬送路によって搬送された貨幣を収納するための入金用収納庫と、前記入金識別部によって正券と識別された貨幣をその金種と同一金種の前記入金用収納庫に収納させ、前記入金識別部によって損券と識別された貨幣をその金種とは異なる金種の前記入金用収納庫に収納させる入金制御手段と、を含むことを特徴とする、貨幣処理装置である。
【０００７】
請求項２記載の発明は、前記入金用収納庫と出金口とをむすび、前記入金用収納庫の貨幣を前記出金口へ搬送するための出金系搬送路と、前記出金系搬送路に設けられ、前記出金系搬送路において搬送される貨幣の金種を識別する出金識別部と、前記出金識別部によって異金種と識別された貨幣を収納するための出金用収納庫と、をさらに含むことを特徴とする、請求項１記載の貨幣処理装置である。
【０００８】
請求項３記載の発明は、前記入金識別部によって損券と識別された貨幣を収納するための前記入金用収納庫は、取扱量が相対的に少ない金種の入金用収納庫を含む、請求項１または２記載の貨幣処理装置である。
【発明の効果】
【０００９】
請求項１記載の発明によれば、金種毎に設けられた入金用収納庫には、定められた金種の正券だけでなく、当該金種とは異なる金種の損券も収納されるので、貨幣処理装置では、損券を収納するための専用の収納庫を別途設けずに済む。その結果、貨幣処理装置では、装置の小型化（コンパクト化）やコストダウンを図ることができる。
請求項２記載の発明によれば、定められた金種の正券だけでなく、当該金種とは異なる金種の損券も収納された入金用収納庫の貨幣を出金する際、入金用収納庫から取り出されて出金系搬送路を流れる貨幣は、出金識別部による金種の識別を受け、異金種と識別された場合には、はじかれて出金用収納庫に収納され、出金されない。そのため、入金用収納庫に複数金種の貨幣（定められた金種の正券と、当該金種とは異なる金種の損券）が収納されていても、入金用収納庫における当該定められた金種の正券だけを抽出して出金することができる。また、出金識別部は、金種だけを識別できるものであればよいので（正損の識別は不要）、出金識別部を安価かつ簡易に構成することができ、貨幣処理装置のコストダウンを図ることができる。また、入金系搬送路と出金系搬送路とが別々に存在しているので、入金系搬送路における入金処理と出金系搬送路における出金処理とを並行して実施できる。
【００１０】
請求項３記載の発明によれば、取扱量（流通量）が相対的に少ない金種の入金用収納庫であれば、収納される正券が少ないので、その分、当該金種とは異なる金種の損券を多く収納することができ、さらに、当該損券をすばやく抽出することができる。
【図面の簡単な説明】
【００１１】
【図１】図１は、この発明の一実施形態に係る貨幣処理装置１の正面側の外観を示す斜視図である。
【図２】図２は、貨幣処理装置１におけるばら紙幣処理ユニット２の模式的な縦断面図である。
【図３】図３は、図２においての紙幣Ｓの流れを示した図である。
【図４】図４は、ばら紙幣処理ユニット２において行われる制御動作の一例を示すフローチャートである。
【図５】図５は、図２において紙幣Ｓの流れを示した図である。
【発明を実施するための形態】
【００１２】
以下には、図面を参照して、この発明の実施形態について具体的に説明する。
図１は、この発明の一実施形態に係る貨幣処理装置１の正面側の外観を示す斜視図である。
図１に示す貨幣処理装置１は、たとえば、銀行等に設置される出納機である。
貨幣処理装置１は、ばら紙幣処理ユニット２と、包装紙幣処理ユニット３と、包装硬貨処理ユニット４と、ばら硬貨処理ユニット５とを含んでいる。これらの処理ユニットは、図１における左側から順に、包装紙幣処理ユニット３、ばら紙幣処理ユニット２、包装硬貨処理ユニット４、ばら硬貨処理ユニット５の順で配置されている。それぞれの処理ユニットは、対応する貨幣（硬貨または紙幣）の入出金処理を行う。ここで、ばら紙幣は、１枚毎に分離した状態の個々の紙幣を指していて、包装紙幣は、所定数毎にまとめられて帯封された紙幣（まとまった紙幣の束）を指している。同様に、ばら硬貨は、１枚毎に分離した状態の個々の硬貨を指していて、包装硬貨は、所定数毎にまとめられて包装された硬貨（硬貨のまとまりによって構成された棒状体）を指している。
【００１３】
貨幣処理装置１は、その上部に、貨幣処理装置１に所定の処理を実行させるために係員によって操作される操作部６と、必要な情報が表示される表示部７とを主に備えている。
図２は、貨幣処理装置１におけるばら紙幣処理ユニット２の模式的な縦断面図である。図３は、図２においての紙幣Ｓの流れを示した図である。
図２および図３において、左側がばら紙幣処理ユニット２の前側（正面側）であり、右側がばら紙幣処理ユニット２の後側である（後述する図５においても同様）。
【００１４】
図２を参照して、ばら紙幣処理ユニット２は、その筐体１０内に、入金部１１と、複数（ここでは４つ）の入金用収納庫１２と、出金用収納庫１４と、複数（ここでは２つ）の整理一時保留部１５と、入金リジェクト部１６と、出金部１７と、搬送機構１８とを備えている。入金用収納庫１２と、出金用収納庫１４とは別々に設けられている。
筐体１０の正面上部には、シャッター１９によって開閉される入金口２０が形成されていて、入金部１１が入金口２０に臨むように配置されている。
【００１５】
複数の入金用収納庫１２は、前後方向（図２の左右方向）に並んで配置された縦長ボックス状であって、各入金用収納庫１２には、原則として、予め定められた一金種のばら紙幣（以下では、単に「紙幣」という）Ｓの正券が上下に積層された状態で収納される。ここで、正券とは、折れや汚れ等がない紙幣のことであり、正券でない損券とは、折れや汚れ等がある傷んだ紙幣のことである。
【００１６】
たとえば、筐体１０の正面側から順に、１番目の入金用収納庫１２（１００００）には原則として一万円札だけが収納され、２番目の入金用収納庫１２（５０００）には原則として五千円札だけが収納され、３番目の入金用収納庫１２（１０００）には原則として千円札だけが収納され、４番目の入金用収納庫１２（２０００）には原則として二千円札だけが収納される。つまり、入金用収納庫１２は、４種類（一万円札、五千円札、千円札、二千円札）の金種毎に設けられている。ここで、説明の便宜上、各入金用収納庫１２の符号の末尾の括弧内には、入金用収納庫１２に収納される正券の金種が、１００００（一万円札）、５０００（五千円札）、１０００（千円札）、２０００（二千円札）として記されている。初期状態（貨幣処理装置１の運転開始時）の各入金用収納庫１２には、収納可能枚数の半分くらいの枚数の紙幣Ｓが収納されているものとする。各入金用収納庫１２の底面には、入金用収納庫１２内の紙幣Ｓを下方へ取り出すための取出口２１が形成されていて、取出口２１には、入金用収納庫１２内の紙幣Ｓを取出口２１経由で下から１枚ずつ繰り出すための出金繰出部２２が連結されている。
【００１７】
筐体１０内において、入金用収納庫１２のそれぞれと入金部１１（入金口２０）とは、紙幣Ｓを搬送するための入金系搬送路２５でつながっている。入金系搬送路２５は、ばら紙幣処理ユニット２に含まれる。入金系搬送路２５は、入金部１１から延び、入金用収納庫１２の手前で分岐して、対応する入金用収納庫１２の上端に対して別々につながっている。入金部１１と入金系搬送路２５との間には、入金部１１内の紙幣Ｓを１枚ずつ繰り出して入金系搬送路２５へ送り込むための入金繰出部２６が介在されている。入金系搬送路２５において入金繰出部２６に連結された一端２５Ａは、入金繰出部２６を介して入金部１１および入金口２０に臨んでいる。つまり、入金系搬送路２５は、入金繰出部２６を介して入金口２０に接続されている。
【００１８】
入金系搬送路２５の途中には、入金系搬送路２５において搬送される紙幣Ｓの金種、正損、真偽等を識別する入金識別部２７が設けられている。ここで、入金識別部２７による識別結果として、紙幣Ｓは、リジェクト紙幣と、金種毎の正券と、金種毎の損券とに分類される。リジェクト紙幣とは、紙幣Ｓと識別されなかったものであり、斜行状態や重送状態で入金識別部２７を通過したために入金識別部２７によって正しく識別されなかった紙幣Ｓや、偽札が、リジェクト紙幣に含まれる。正券および損券は、入金識別部２７によって所定金種の紙幣Ｓであると識別された上で、前述したように汚れや損傷の有無によって区別された紙幣Ｓである。入金系搬送路２５において入金識別部２７と入金用収納庫１２との間から、入金リジェクト路４８が分岐して、入金リジェクト部１６につながっている。
【００１９】
入金系搬送路２５において各入金用収納庫１２につながった分岐路の途中には、入金一時保留部２８が１つずつ（合計４つ）設けられている。入金一時保留部２８は、入金系搬送路２５から搬送されてきた紙幣Ｓを一時保留してから、対応する入金用収納庫１２に送り込むためのものである。４つの入金一時保留部２８のまとまりは、一時保留部ユニット４３として一体化されており、筐体１０に対して引き出し可能に装着されている。図２では、一時保留部ユニット４３において筐体１０から少し引き出された部分が点線で示されている。
【００２０】
入金系搬送路２５の複数の箇所には、紙幣Ｓを入金系搬送路２５内で搬送する搬送ベルト（図示せず）を駆動するために回転するローラ３０とローラ３０を回転駆動させるためのモータ３１とが配置されている。また、入金系搬送路２５における各分岐箇所には、紙幣Ｓの搬送先を切り替えるための切換部材（図２における三角部分）３２が設けられている。
【００２１】
開放された入金口２０から入金部１１に入金された紙幣Ｓは、入金繰出部２６によって１枚ずつ繰り出された後に、入金系搬送路２５を流れて入金用収納庫１２側へ搬送される。その途中で、入金識別部２７によって紙幣Ｓの識別が行われ、リジェクト紙幣であると識別されたものは、入金リジェクト路４８から入金リジェクト部１６まで搬送された後に機外へ返却される。そして、入金識別部２７において正券または損券である（リジェクト紙幣でない）と識別された紙幣Ｓは、入金系搬送路２５を引き続き流れて、正券は、収納先の入金用収納庫１２の手前の入金一時保留部２８に一時保留される。ここで、係員が操作部６を操作すること等によって入金を確定させると、入金一時保留部２８に一時保留されていた紙幣Ｓは、収納先の入金用収納庫１２に受け渡されて当該入金用収納庫１２に収納される。以上が、紙幣Ｓの入金処理である。入金処理における紙幣Ｓの流れは、図３において、太い実線および破線矢印で示されている。
【００２２】
また、別の入金処理として、入金識別部２７において損券であると識別された紙幣Ｓは、二千円札とは異なる金種（千円札、五千円札または一万円札）の場合、二千円札の入金用収納庫１２（２０００）につながった入金一時保留部２８に一時保留され、その後の係員による入金の確定に応じて、二千円札の入金用収納庫１２（２０００）に収納される。このときの紙幣Ｓの流れは、図３において、太い破線矢印で示されている。一方、入金識別部２７において損券であると識別された二千円札は、二千円札以外の入金用収納庫１２、たとえば、五千円札の入金用収納庫１２（５０００）につながった入金一時保留部２８に一時保留され、その後の係員による入金の確定に応じて、五千円札の入金用収納庫１２（５０００）に収納される。このときの紙幣Ｓの流れは、図３において、太い実線矢印（入金用収納庫１２（５０００）に向かう部分）で示されている。なお、二千円札とは異なる金種（千円札、五千円札または一万円札）の紙幣であって、収納先の入金用収納庫１２が満杯であるために行き先のなくなった正券（オーバーフロー紙幣ということがある）は、当該金種の損券と同様に、二千円札の入金用収納庫１２（２０００）に収納される（図３の太い破線矢印参照）。また、各金種の損券の収納先が満杯なら、その時点で入金処理は停止される。
【００２３】
図２に戻り、出金用収納庫１４は、たとえば、入金用収納庫１２よりも後側に配置されている。出金用収納庫１４は、縦長ボックス状であって、出金用収納庫１４には、金種、正損（正券または損券）等にかかわらず、様々な種類の紙幣を一括して収納することができる。出金用収納庫１４における紙幣Ｓの収納可能枚数は、入金用収納庫１２のそれぞれの収納可能枚数より多い。出金用収納庫１４の底面には、出金用収納庫１４内の紙幣Ｓを下方へ取り出すための取出口４２が形成されていて、取出口４２には、出金用収納庫１４内の紙幣Ｓを取出口４２経由で下から１枚ずつ繰り出すための出金繰出部３３が連結されている。
【００２４】
また、筐体１０の上面には、シャッター３４によって開閉される出金口３５が形成されていて、出金部１７が出金口３５に臨むように配置されている。筐体１０内において、入金用収納庫１２および出金用収納庫１４のそれぞれに連結された出金繰出部２２，３３と、出金部１７とは、紙幣Ｓを搬送するための出金系搬送路３６でつながっている。出金系搬送路３６は、ばら紙幣処理ユニット２に含まれる。出金系搬送路３６は、出金繰出部２２，３３のそれぞれから個別に延びてから１つに合流し、出金部１７（出金口３５）まで延びている。つまり、出金系搬送路３６は、入金用収納庫１２および出金用収納庫１４のそれぞれと出金口３５とをむすんでいる。出金系搬送路３６の途中には、出金識別部３７および斜行補正部３８が設けられている。出金識別部３７の機能は、前述した入金識別部２７とは異なり、（出金系搬送路３６において搬送される紙幣Ｓの）金種だけを識別することができる。ただし、出金識別部３７は、金種以外の内容（たとえば、紙幣Ｓの表裏等）も識別できても構わない。斜行補正部３８は、出金系搬送路３６を搬送される紙幣Ｓが斜行している（進行方向に対して傾斜して搬送されている）場合に、紙幣Ｓの姿勢を矯正して、その斜行を補正する。
【００２５】
出金系搬送路３６において斜行補正部３８よりも出金部１７側の部分からは、３つの分岐路３９が分岐している。３つの分岐路３９のうち、最も斜行補正部３８に近い分岐路３９は、出金用収納庫１４の上端につながっていて、他の１つは、一方の整理一時保留部１５につながっていて、残りの１つは、他方の整理一時保留部１５につながっている。
出金系搬送路３６において斜行補正部３８に近い側の２本の分岐路３９（出金用収納庫１４の上端につながった分岐路３９と、前記一方の整理一時保留部１５につながった分岐路３９）の間の部分と、入金系搬送路２５において入金識別部２７よりも入金用収納庫１２側の部分とは、中継路４０によってショートカットされている。この実施形態では、２箇所に中継路４０が１つずつ設けられているが、少なくとも１箇所に１つあればよい。
【００２６】
出金系搬送路３６の複数の箇所には、前述したローラ３０およびモータ３１が配置されている。また、出金系搬送路３６における各分岐箇所には、前述した切替部材３２が設けられている。
各入金用収納庫１２に収納された紙幣Ｓは、入金用収納庫１２の下端部の出金繰出部２２によって繰り出されて出金系搬送路３６を流れる。その途中で、紙幣Ｓは、出金識別部３７による金種の識別を受ける。異金種である（収納元の入金用収納庫１２に収納されるべき正券の金種と異なる）と識別された紙幣Ｓは、分岐路３９を経由して、出金用収納庫１４に収納される。一方、出金識別部３７において問題のない（収納元の入金用収納庫１２に収納されるべき正券と同一金種である）と識別された紙幣Ｓは、出金部１７まで搬送されて出金口３５から外部に出金される。以上が、紙幣Ｓの出金処理である。出金処理における正券の紙幣Ｓの流れは、図３において、太い１点鎖線で示されている。このように、出金系搬送路３６は、主に、入金用収納庫１２の紙幣Ｓを出金口３５へ搬送するためのものであることが分かる。
【００２７】
出金処理以外の処理として、紙幣Ｓは、分岐路３９を介して整理一時保留部１５に収納されることがある。このときの紙幣Ｓの流れは、図３において、太い点線（前述した破線でない）で示されている。整理一時保留部１５に収納された紙幣Ｓは、積層状態で収納される。なお、入金部１１に入金された紙幣Ｓが、入金用収納庫１２を介さずに、中継路４０経由で入金系搬送路２５から出金系搬送路３６に受け渡されて整理一時保留部１５に収納されることもある。
【００２８】
図２に戻り、搬送機構１８は、整理一時保留部１５に収納されたばら紙幣Ｓの積層方向（ここでは筐体１０の上下方向）に移動可能な一対のアーム４１を備えていて、筐体１０内で整理一時保留部１５の後側に配置されている。所定枚数まで積層された紙幣Ｓは、まとまった状態（積層状態）で一対のアーム４１によって挟持され、整理一時保留部１５から取り出される。搬送機構１８は、取り出した紙幣Ｓのまとまりを、ばら紙幣処理ユニット２の隣の包装紙幣処理ユニット３（図１参照）まで搬送する。包装紙幣処理ユニット３は、ばら紙幣処理ユニット２から受け取った紙幣Ｓのまとまりを、帯封して包装紙幣にしてから、内部で保管したり、機外に払い出したりする。なお、包装紙幣処理ユニット３において紙幣Ｓのまとまりを帯封する構成として、公知の構成を用いることができる。ここで、入金系搬送路２５や出金系搬送路３６で紙幣Ｓを搬送して整理一時保留部１５でまとめてから包装紙幣処理ユニット３で包装紙幣にするまでの処理を、包装処理ということにする。
【００２９】
また、ばら紙幣処理ユニット２は、マイクロコンピュータ等で構成された制御部４５（入金制御手段）を備えている。制御部４５は、ばら紙幣処理ユニット２の各種電気部品（モータ３１等）に対して電気的に接続されていて、ばら紙幣処理ユニット２の動作を制御する。具体的には、制御部４５は、シャッター１９，３４の開閉を制御したり、入金繰出部２６，出金繰出部２２，３３による紙幣Ｓの繰り出しを制御したり、モータ３１の駆動や、切替部材３２の動作や、搬送機構１８の動作等を制御する。これにより、前述した入金処理や出金処理や包装処理が実現される。また、制御部４５は、入金識別部２７および出金識別部３７での識別結果に基づいて、入金用収納庫１２および出金用収納庫１４のそれぞれにおける紙幣Ｓ（リジェクト紙幣も含む）の在庫数（現時点の収納枚数）を把握している。そのため、入金識別部２７および出金識別部３７のそれぞれは、紙幣Ｓの計数センサの機能も兼ねている。
【００３０】
ここで、入金口２０、入金部１１、入金繰出部２６、入金識別部２７、入金リジェクト部１６、入金一時保留部２８、入金系搬送路２５および入金用収納庫１２（出金繰出部２２を除く）のまとまりは、入金系Ｘとされる。そして、出金繰出部２２、出金用収納庫１４、出金繰出部３３、出金系搬送路３６、出金識別部３７、斜行補正部３８、出金部１７、出金口３５、整理一時保留部１５および搬送機構１８のまとまりは、出金系Ｙとされる。図２では、入金系Ｘと出金系Ｙとは、１点鎖線で区画されている。入金系Ｘと出金系Ｙとは、中継路４０において部分的にショートカットされているものの、それぞれ独立して存在している。これにより、制御部４５は、入金系搬送路２５と出金系搬送路３６とを、互いに独立的に、かつ、並列的に動作させることができる。よって、入金系搬送路２５と出金系搬送路３６とが別々に存在しているので、入金系搬送路２５における入金処理と出金系搬送路３６における出金処理とを並行して実施できる。
【００３１】
図４は、ばら紙幣処理ユニット２において行われる制御動作の一例を示すフローチャートである。図５は、図２において紙幣Ｓの流れを示した図である。
図４を参照して、前述した制御部４５は、係員による操作部６（図１参照）の操作によって、入金処理を行う旨の指示（入金指示）を受けると（ステップＳ１でＹＥＳ）、入金処理を実行する（ステップＳ２）。
【００３２】
入金処理において、千円札、五千円札または一万円札の正券は、それぞれに対応する入金用収納庫１２（千円札用の入金用収納庫１２（１０００）、五千円札用の入金用収納庫１２（５０００）または一万円札用の入金用収納庫１２（１００００））に収納され（図３の太い実線矢印参照）、二千円札の正券は、対応する入金用収納庫１２（二千円札用の入金用収納庫１２（２０００））に収納される（図３の太い破線矢印参照）。一方、二千円札の損券は、五千円の（五千円札の正券が収納される）入金用収納庫１２（５０００）に収納され（図３の太い実線矢印参照）、二千円札以外（千円札、五千円札または一万円札）の損券は、二千円の（二千円札の正券が収納される）入金用収納庫１２（２０００）に収納される（図３の太い破線矢印参照）。
【００３３】
つまり、ステップＳ２において、制御部４５は、入金識別部２７によって正券と識別された紙幣Ｓをその金種と同一金種の入金用収納庫１２に収納させ、入金識別部２７によって損券と識別された紙幣Ｓをその金種とは異なる金種の入金用収納庫１２に収納させる。そのため、金種毎に設けられた入金用収納庫１２には、定められた金種の正券だけでなく、当該金種とは異なる金種の損券も収納されるので、貨幣処理装置１では、損券を収納するための専用の収納庫を別途設けずに済む。その結果、貨幣処理装置１では、装置の小型化（コンパクト化）やコストダウンを図ることができる。
【００３４】
また、ステップＳ２では、入金識別部２７によって損券と識別された紙幣Ｓを収納するための入金用収納庫１２は、取扱量が相対的に少ない金種（二千円札や五千円札）の入金用収納庫１２（２０００，５０００）を含んでいることがわかる。そのため、この実施形態では、千円札や一万円札の入金用収納庫１２（１０００，１００００）は、それぞれが対応する金種の正券しか収納しないようになっている。
【００３５】
また、制御部４５は、係員による操作部６の操作によって、出金処理を行う旨の指示（出金指示）を受けると（ステップＳ３でＹＥＳ）、出金処理を実行する（ステップＳ４）。
この際、二千円札以外を出金する場合には、二千円札以外の金種の正券を収納する入金用収納庫１２（千円札用の入金用収納庫１２（１０００）、五千円札用の入金用収納庫１２（５０００）または一万円札用の入金用収納庫１２（１００００））から紙幣（当該金種の正券と二千円札の損券（五千円札を出金する場合）とを含む）が繰り出されて、出金系搬送路３６を流れる（図５の太い１点鎖線矢印は五千円札を出金する場合を示す）。出金系搬送路３６を流れる紙幣は、出金識別部３７で金種の識別を受け、二千円札でないと識別された紙幣は、引き続き出金系搬送路３６を流れて出金口３５から出金され（図５の太い１点鎖線矢印参照）、二千円札と識別された紙幣（二千円札の損券）は、出金用収納庫１４に収納される（図５の太い実線矢印参照）。
【００３６】
一方、二千円札を出金する場合には、二千円札の正券を収納する入金用収納庫１２（２０００）から紙幣（二千円札の正券と二千円札以外の金種の損券とを含む）が繰り出されて、出金系搬送路３６を流れる（図５の太い１点鎖線矢印参照）。出金系搬送路３６を流れる紙幣は、出金識別部３７で金種の識別を受け、二千円札と識別された紙幣は、引き続き出金系搬送路３６を流れて出金口３５から出金され（図５の太い１点鎖線矢印参照）、二千円札でないと識別された紙幣（二千円札以外の金種の損券）は、出金用収納庫１４に収納される（図５の太い実線矢印参照）。
【００３７】
このように、出金用収納庫１４には、出金識別部３７によって異金種と識別された紙幣Ｓ（各金種の損券）が収納される。
以上のように、出金処理において、定められた金種の正券だけでなく、当該金種とは異なる金種の損券も収納された入金用収納庫１２の紙幣Ｓを出金する際、入金用収納庫１２から取り出されて出金系搬送路３６を流れる紙幣Ｓは、出金識別部３７による金種の識別を受け、異金種と識別された場合には、はじかれて出金用収納庫１４に収納され、出金されない。そのため、入金用収納庫１２（ここでは、入金用収納庫１２（２０００，５０００）に複数金種の紙幣Ｓ（定められた金種の正券と、当該金種とは異なる金種の損券）が収納されていても、入金用収納庫１２における当該定められた金種の正券だけを抽出して出金することができる。また、出金識別部３７は、金種だけを識別できるものであればよいので（正損の識別は不要）、出金識別部３７を安価かつ簡易に構成することができ、貨幣処理装置１のコストダウンを図ることができる。たとえば、入金識別部２７は、透過型や反射型の複雑な構成の識別部になる一方で、出金識別部３７は、１つのラインセンサで単純に構成することができる。
【００３８】
ここで、前述したように、入金処理で入金識別部２７によって損券と識別された貨幣を収納するための入金用収納庫１２は、取扱量が相対的に少ない金種（二千円札や五千円札）の入金用収納庫１２（２０００，５０００）を含んでいる。そのため、取扱量（流通量）が相対的に少ない金種の入金用収納庫１２であれば、収納される正券が少ないので、その分、入金処理では、当該金種とは異なる金種の損券を多く収納することができ、さらに、出金処理では、当該損券をすばやく抽出することができる。
【００３９】
なお、前述した包装処理を、出金処理や入金処理と並行して行うことによって、使い道のない損券を入金用収納庫１２や出金用収納庫１４（つまり、ばら紙幣処理ユニット２内）から排出することができる。これにより、入金用収納庫１２や出金用収納庫１４が満杯（フル状態）になることを回避できる。なお、包装処理を、他の処理と並行して実施する場合に限らず、他の処理の合間に実施することによっても、入金用収納庫１２や出金用収納庫１４のフル状態を回避する効果は、ある程度得られる。
【００４０】
なお、以上の各処理は、自動で開始されてもよいし、係員による操作部６の操作によって、係員が指定する任意のタイミングに開始されてもよい。
この発明は、以上の実施形態の内容に限定されるものではなく、請求項記載の範囲内において種々の変更が可能である。
たとえば、出金用収納庫１４が筐体１０内に固定されていて筐体１０から引き出すことができないようになっている場合、出金用収納庫１４に収納された紙幣Ｓ（損券やリジェクト紙幣）を、出金系搬送路３６側へ一旦引き出してから、中継路４０および入金系搬送路２５を経由してから入金一時保留部２８に収納する。その後、一時保留部ユニット４３を筐体１０から引き出し（図２の点線で示した一時保留部ユニット４３を参照）、入金一時保留部２８から紙幣Ｓを回収することができる。出金用収納庫１４の紙幣Ｓを出金部１７から回収することも可能ではあるが、出金部１７が比較的狭いことから、出金部１７に紙幣Ｓを小出しで搬送する必要があるので、煩わしいし、時間もかかる。そこで、それぞれの紙幣収納可能枚数が比較的多い（たとえば３００枚程度）入金一時保留部２８を一体化した一時保留部ユニット４３に、出金用収納庫１４の紙幣Ｓを取り込んで機外へ引き出せば、速やかに紙幣Ｓの回収を完了させることができる。
【００４１】
また、貨幣処理装置１では、ばら紙幣処理ユニット２、包装紙幣処理ユニット３、包装硬貨処理ユニット４およびばら硬貨処理ユニット５が揃っている（図１参照）。しかし、本発明は、ばら紙幣処理ユニット２および包装紙幣処理ユニット３だけで構成された貨幣処理装置１や、包装硬貨処理ユニット４およびばら硬貨処理ユニット５だけで構成された貨幣処理装置１や、ばら紙幣処理ユニット２、包装紙幣処理ユニット３、包装硬貨処理ユニット４およびばら硬貨処理ユニット５のいずれか１つだけを含む貨幣処理装置１にも適用可能である。つまり、紙幣Ｓに限らず、硬貨を扱う場合（貨幣全般を扱う場合）にも、本発明は適用可能である。
【００４２】
また、入金部１１と出金部１７とが一体化されていて、共通の入出金口から紙幣Ｓの入出金が可能であってもよい。また、入金識別部２７は、紙幣の表裏を識別可能であって、入金系搬送路２５には、入金識別部２７によって表裏が逆であると識別された紙幣Ｓの表裏を反転させる機構が設けられていてもよい。
また、この発明は、出納機等以外に、貨幣の入出金処理を行う両替機やＡＴＭ等にも適用できる。
【符号の説明】
【００４３】
１  貨幣処理装置
１２  入金用収納庫
１４  出金用収納庫
２０  入金口
２５  入金系搬送路
２７  入金識別部
３５  出金口
３６  出金系搬送路
３７  出金識別部
４５  制御部
Ｓ  紙幣
【図１】
2013222323.tif 000003
【図２】
2013222323.tif 000004
【図３】
2013222323.tif 000005
【図４】
2013222323.tif 000006
【図５】
2013222323.tif 000007